(57)【特許請求の範囲】
【請求項１】
下方開口コの字状にして対向面部間を貫通する挟圧ボルト及び挟圧ナットを装着した挟圧本体と、挟圧本体の対向面部に連続する前後下方両側を、装着対象の波型スレート屋根板の形状に対応して斜め下方に折曲して形成し、挟圧本体を屋根面上に載置して安定させる足板部と、挟圧本体の対向面部の下方に連続する前記足板部の前後中間の両側を外方に一旦折曲し、更に折り返して足板部の機能を備えさせると共に、先端部分を対向させた爪板部と、挟圧本体に付設した屋根葺き用装着部とで構成してなることを特徴とする屋根葺き替え用金具。
【請求項２】
挟圧本体の頂面部にボルト棒を突設して屋根葺き用装着部としてなる請求項１記載の屋根葺き替え用金具。
【発明の詳細な説明】
【技術分野】
【０００１】
本発明は、主として波型スレート屋根上に新たな屋根を構築する葺き替え工事に使用する金具に関するものである。
【背景技術】
【０００２】
一般の屋根の葺き替えは、従前の屋根部分を除去し、除去した後に、新規な屋根板を葺き替えるが、従前の屋根板の除去作業が煩雑であることや、除去した屋根板部材の廃棄も必要となり面倒であるので、従前の屋根をそのままとし、従前の屋根上に更に新規な屋根葺きが為されている。
【０００３】
波型スレート屋根においては、従前の屋根板上に貫通孔を開け、従前屋根の梁に連結したボルトで新規な屋根板を止着して屋根葺きを行っている。
【０００４】
また屋根上に構築物を形成する場合には、特許文献１（登録実用新案第３０９７３６０号公報）に示されるように、波型スレート屋根板を母屋（梁材）に止着するための屋根板固定ボルトにおける屋根突出部分を利用する手段が知られている。
【先行技術文献】
【特許文献】
【０００５】
【特許文献１】登録実用新案第３０９７３６０号公報。
【発明の概要】
【発明が解決しようとする課題】
【０００６】
スレート屋根（主として波型屋根）の経年変化によって、屋根の葺き替えを、既存スレート屋根上に新たな屋根板を葺く場合に、既存スレート屋根板を穿孔して、前記開孔を通して母屋（梁）に連結する止着ボルトを用いる場合には、前記の既存スレート屋根の穿孔に際しては、屋根材が粉塵となって室内に落下してしまう。而も従前のスレート屋根板は、アスベストを含んで製造されているため、前記の粉塵にアスベスト繊維が含まれる結果となり、室内環境を考慮すると、厳重な粉塵対策が必要となり非常に煩雑な工事となってしまう。
【０００７】
また前記の特許文献１に開示されているように、スレート屋根上に突出した既存の屋根止着ボルトを使用する場合でも、屋根の補修が必要なほど既存屋根は年月を経ているので、止着ボルトのナットより露出した部分は錆びてしまっており、そのネジ山を利用することが困難である。
【０００８】
そこで本発明は、既存のスレート屋根において、屋根板に新たな穿孔を施すことなく、無塵で新規な屋根葺きを可能とするスレート屋根葺き替え用金具を提案したものである。
【課題を解決するための手段】
【０００９】
本発明に係る屋根葺き替え用金具は、下方開口コの字状にして対向面部間を貫通する挟圧ボルト及び挟圧ナットを装着した挟圧本体と、挟圧本体の対向面部に連続する前後下方両側を、装着対象の波型スレート屋根板の形状に対応して斜め下方に折曲して形成し、挟圧本体を屋根面上に載置して安定させる足板部と、挟圧本体の対向面部の下方に連続する前記足板部の前後中間の両側を外方に一旦折曲し、更に折り返して足板部の機能を備えさせると共に、先端部分を対向させた爪板部と、挟圧本体に付設した屋根葺き用装着部とで構成してなることを特徴とするものである。
【００１０】
而して爪板部の先端を、既存の波型スレート屋根やその他の既存屋根における屋根板止着ボルトを挟むように位置させて、挟圧ボルト・ナットの挟圧で対向面部を接近させると、それに伴って爪板部の先端が、既存の屋根板止着ボルトの座金クッション部（特にスレート屋根はナットや座金等の金属部分で直接押圧すると傷が付き亀裂等を生じさせる原因となるので、金属座金の下方にフェルト材などで形成されたクッション部を介在させている）に食い込み、金属座金・止着ナットの下方に突出し、足板部が既存屋根板上に載置されることで、本願金具が既存屋根上に固着されることになる。そこで本願金具における屋根葺き替え用装着部を使用して新規な屋根板を葺くことができる。
【００１２】
また挟圧本体と、足板部及び爪板部は一枚の金属板からのプレス加工で製出されるものである。
【発明の効果】
【００１３】
本発明の構成は上記のとおりで、主として既存の波型スレート屋根において、既存屋根に何らの加工を施すことなく、塵芥を発生することなく、そのままの状態で新規な屋根葺きを実現することができたものである。
【図面の簡単な説明】
【００１４】
【図１】本発明の実施形態の全体斜視図（金具装着前）。
【図２】同使用状態の説明図（装着前の正面図）。
【図３】同図（装着後の正面図）。
【発明を実施するための形態】
【００１５】
次に本発明の実施形態について説明する。実施形態に示した屋根葺き替え用金具は、金属板１枚のプレス加工で製出した挟圧本体１と、足板部２と、爪板部３に、更に前記挟圧本体１に付設した屋根葺き用装着部４で構成されるものである。
【００１６】
挟圧本体１は、下方開口コの字状にして対向面部１１間を貫通する挟圧ボルト１２及び挟圧ナット１３を装着したもので、対向面部１１間を貫通した挟圧ボルト１２に螺合した挟圧ナット１３を緊締することで対向面部１１の下方開口部分を閉口方向に動作させるものである。
【００１７】
足板部２は、挟圧本体１の前後下方両側方を、装着対象の波型スレート屋根板Ａの形状に対応して斜め下方に突出して設けたものである。
【００１８】
爪板部３は、前記足板部２の前後中間に、挟圧本体１の対向面部１１の下方を両側外方に一旦折曲し、更に折り返して足板部２の機能を備えさせて形成してなるものである。
【００１９】
屋根葺き用装着部４は、挟圧本体１の頂板部１４に直立ボルト棒を突設して形成したものである。
【００２０】
而して前記金具を、既存の波型スレート屋根板Ａにおける屋根板止着ボルトＢを挟むように位置させて、挟圧ボルト・ナット１２，１３の挟圧で対向面部１１を接近させると、爪板部３の先端が、既存の屋根板止着ボルトＢの座金クッション部Ｃに食い込み、金属座金Ｄ及び止着ナットＥの下方に突入すると共に、既存波型スレート屋根板Ａ上に載置している足板部２が、屋根板Ａを下圧することで金具全体が固定されることになる。
【００２１】
そこで既存スレート屋根板Ａ上に断熱材Ｆを敷設し、折版屋根Ｇを、屋根葺き用装着部（直立ボルト棒）４を用いて止着することで、新規の折版屋根Ｇの屋根葺きを行うものである。
【００２２】
尚本発明は、前記の実施形態に限定されるものでなく、足板部２と爪板部３は前記の挟圧本体１と一体にプレス加工で形成するほか、挟圧本体に溶接で形成しても良いし、また爪板部３は、単に対向面部１１の下端縁を内方に折曲して形成するようにしても良い。更には前記爪板部３のように足板部２の機能を兼ねる場合には、足板部２を爪板部３と別々に形成しなくとも良い。
【００２３】
また屋根葺き用装着部４は、新規葺き替え屋根板形状に対応して適宜定められるもので、直立ボルト棒に替えて、例えば折版屋根の頂板部の内側に添う支持板で形成しても良いし、単に前記挟圧本体１の頂板部１４にリベット連結するための装着用透孔のみを穿設するようにしても良い。
【符号の説明】
【００２５】
１        挟圧本体
１１      対向面部
１２      挟圧ボルト
１３      挟圧ナット
１４      頂板部
２        足板部
３        爪板部
４        屋根葺き用装着部（直立ボルト棒）
【図１】
0005441867.tif 000002
【図２】
0005441867.tif 000003
【図３】
0005441867.tif 000004